(57)【要約】【課題】脱衣の便宜及び保温機能と共に、着用感をも満足し得る下着の提供。【解決手段】丈の長いズボン部１の内側に丈の短いショーツ部２を具備し、当該ズボン部１とショーツ部２とが双方の腰回りを連結することによって一体化され、前記ズボン部１及びショーツ部２の着用者における恥骨から尾骨に亘る領域に相当する股部に排便用の開口部３を設けると共に、当該ズボン部１及びショーツ部２の開口部３の内縁を連結し、前記開口部３を閉鎖する股当て布４を着脱自在に設けた下着。【選択図】      図１
2004225188.tif 000002
【特許請求の範囲】
【請求項１】
丈の長いズボン部（１）の内側に丈の短いショーツ部（２）を具備し、当該ズボン部（１）とショーツ部（２）とが双方の腰回りを連結することによって一体化されている下着。
【請求項２】
前記ズボン部（１）及びショーツ部（２）の着用者における恥骨から尾骨に亘る領域に相当する股部に排便用の開口部（３）を設けると共に、当該ズボン部（１）及びショーツ部（２）の開口部（３）の内縁を連結し、前記開口部（３）を閉鎖する股当て布（４）を着脱自在に設けた前記請求項１に記載の下着。
【請求項３】
前記ズボン部（１）及びショーツ部（２）における開口部（３）の内縁に形成された連結部（５）の股間領域（６）のみに、伸縮手段を付設した前記請求項２に記載の下着。
【請求項４】
前記股当て布（４）の股間領域（９）に伸縮手段を付設した前記請求項２又は請求項３のいずれかに記載の下着。
【請求項５】
前記股当て布（４）における前縁部及び後縁部のみに着脱自在の定着手段（７）を設けた前記請求項２乃至請求項４のいずれかに記載の下着。
【請求項６】
前記股当て布（４）における前縁部及び後縁部の表面に指が掛かる持ち手（８）を設けた前記請求項２乃至請求項５のいずれかに記載の下着。
【発明の詳細な説明】
【０００１】
【発明の属する技術分野】
本発明は、体力が減退し四肢の筋力や各種感覚器官の機能が鈍くなった人の為の下着に関するものである。
【０００２】
【従来の技術】
今日、社会の高齢化に伴い、前あきパンツに重なり部が広くなるように、左の合わせ部と右の合わせ部設けるとともに、左右いずれの合わせ部もボタン又はマジックテープ（登録商標）、フックなどの止め具を設け、あき止りを股下線あたりまで延長した介護用パンツ（例えば、特許文献１参照。）や、介護パンツの陰部から肛門部にかけて切り込みを設け、切り込み部周辺にゴム紐を縫いつけ、受尿カップ、受便カップを装着固定できるようにした介護パンツ（例えば、特許文献２参照。）等、介護の便宜を考慮した衣類が種々紹介されている。
【０００３】
【特許文献１】
特開２００１−１７２８０８号公報
【特許文献２】
特開平１０−２１６１６５号公報
【０００４】
【発明が解決しようとする課題】
しかしながら、なかには介護が不要であるけれども体力が減退し四肢の筋力や各種感覚器官の機能が鈍くなった人（以下、仮に機能減退者と記す。）が大勢存在する。この様な機能減退者が抱える日常生活での問題の一つとして、例えば、便意等を認識する感覚が備わって居ながらもその筋力の無さによって脱衣が遅れ失禁してしまうと言う例が比較的多い。特に厚着となり脱衣に手間のかかる寒冷期にあっては更に顕著であり、この様な例は、衣類その他に工夫を施すことによって比較的容易に健常者として何ら問題なく生活出来る様になる例の一つと考えられる。
【０００５】
また、単に工夫といえども、着用者の人格は出来る限り尊重されるべきであり、機能のみを重視した設計によって、着用時における感触や感情を考えて減退した機能を補助する為の設計は必要最小限に止めるべきである。
【０００６】
本発明は、上記実情に鑑みて成されたものであって、脱衣の便宜及び保温機能と共に、着用感をも満足し得る下着の提供を目的とする。
【０００７】
【課題を解決するための手段】
上記課題を解決するために成された本発明による下着は、丈の長いズボン部の内側に丈の短いショーツ部を具備し、当該ズボン部とショーツ部とが双方の腰回りを連結することによって一体化されていることを特徴とする。尚、当該下着は、男女いずれが用いるように設計されても良い。また、前記ズボン部の丈は、前記ショーツ部と比較して相対的に長ければ良く、膝に至る丈やくるぶしに至る丈など四季折々求められる仕様に適宜設定することができる。
【０００８】
通常の脱衣が困難もしくは手間取る方が着用される場合には、前記ズボン部及びショーツ部の着用者における恥骨から尾骨に亘る領域に相当する股部に排便用の開口部を設けると共に、当該ズボン部及びショーツ部の開口部の内縁を連結し、前記開口部を閉鎖する股当て布を着脱自在に設けた構成とすることが望ましい。
【０００９】
尚、尾骨に亘る領域に相当する股部とは、当該下着のサイズに応じて着用者の平均的な体格を想定して定めたものであればよい。よって、前記開口部の幅も、排便に支障のない寸法であって、且つズボン部及びショーツ部における股間部の左右両縁部が双方の股間部を位置固定する為の縫い代として残し得る寸法であれば良い。
【００１０】
一方、前記股当て布は、着用時において前部及び後部に相当する部分が幅広となり、中央部が、前記ズボン部およびショーツ部の股間幅とほぼ等しい幅に狭まった形状となる。そこで、股間部において着用者の身体との密着性を高めるべく前記ズボン部及びショーツ部における開口部の内縁に形成された連結部の股間領域、即ち、両足に挟まれた領域のみに、伸縮手段を適宜付設することが望ましく、前記股当て布の股間領域にあっても同様に同じ趣旨から伸縮手段を適宜付設することが望ましい。また、股間において素材が本来持つ着用感を損ねない様に、前記股当て布における前縁部及び後縁部のみに着脱自在の定着手段を設けた構造とすることも望ましい。尚、着脱自在の定着手段とは、前記開口部において当該股当て布を着脱自在とできる定着手段をいう。
【００１１】
更に、握力が弱っている着用者でも容易に股当て布の取り外しが可能な様に、前記股当て布における前縁部及び後縁部の表面に指が掛かる持ち手を設けた構造も望ましい。尚、上記構成を用いて女性用下着と男性用下着のいずれを構成しても良いことは言うまでもない。
【００１２】
【発明の実施の形態】
以下、本発明による下着の実施の形態を図面に基づき説明する。
図に示す下着は、防寒機能を高めるべく腰から足首までに至る丈の長いズボン部１と、腰から股に至る丈の短いショーツ部２とから構成され、前記ズボン部１の内側に前記ショーツ部２を、当該ズボン部１とショーツ部２とが双方の腰回り部分を重ねて縫い返すことによって連結し、腰回り定着用のゴム紐を通すことにより一体化した婦人用下着の例である。
【００１３】
当該例のズボン部１は、裾部がゴム糸の編み込みによって絞られ、ショーツ部２の裾縁にはゴムが通され刺繍が施されている。それぞれの素材としては、特に限定するまでもないが、例を挙げれば、ズボン部１が比較的厚手の綿素材、ショーツ部２が比較的薄手の綿素材といったところである。
【００１４】
この様に、当該ズボン部１とショーツ部２とが双方の腰回り部分を重ねて縫い返すことによって連結されていれば、ショーツとズボンとの二着を着用した暖かさが得られる他、前記ズボン部１とショーツ部２とが一体となって同時に着脱出来ることとなるにもかかわらず、それらの裾部が分離している為に、ショーツとズボンとの二着を着用した場合と同様の着用感が得られ、衣類の着脱に少々遅い程度の着用者であれば脱ぐ作業が減少することによって、特別な衣類を着用していると言う意識もなく失禁の可能性を大幅に低くすることが可能となる。
【００１５】
特に、この下着は、より症状が重く脱ぐ作業に手間取る程度の着用者に対する措置を施した下着であって、前記ズボン部１及びショーツ部２の恥骨から尾骨に亘る領域に相当する股部には排便用の開口部３が同様に設けられ、当該ズボン部１及びショーツ部２の開口部３の内縁を縫い合わせて連結し、当該連結部５の股間領域６のみに、伸縮可能なゴム紐を伸縮手段として縫い込む構成が採られている。この様に、前記開口部３の内縁のみを縫い合わせ、前記ショーツ部２の裾部をフリーとしておく構成によって、なお、通常の下着と同様の着用感を維持するという効果を奏している。尚、開口部３は、排便する際汚れない程度に十分な領域を確保した形状サイズとする（図１及び図２参照）。
【００１６】
前記開口部３には、当該開口部３を閉鎖する股当て布４が所謂面ファスナー（微細な合成樹脂製のフックが大量に配置された面部材７ｕと、微細な合成樹脂製のループが大量に配置された面部材７ｕとが対となって雌雄関係を持ち簡易的なロック及び解除、即ち着脱を行う部材）という定着手段７を以て着脱自在に装着されている。
【００１７】
当該股当て布４は、図４に示す如く、着用時において前部及び後部に相当する部分が幅広となり、中央部が、前記ズボン部１およびショーツ部２の股間幅とほぼ等しい幅に股間領域９が狭まったひょうたん状の布を二重に縫い合わせたものである。用いる布は、前記ズボン部１とショーツ部２に用いられているものと同じ素材が望ましく、当該下着のサイズに応じて図１及び図３の如く着用者の臍と恥骨との中間から尾骨と腰との中間に亘って被い得る長さと、前記開口部を被い得る幅が必要である。
【００１８】
前記股当て布４にオムツと同様な機能を持たせるべく、吸水ポリマー等を内装したり、表地に漏水防止措置を施すことも可能であるが、日常生活が失禁と言う例を除いてほぼ支障無く行える着用者の気持ちを考慮すれば、着用感が通常の衣服と大きくかけ離れることが無いようにすることが肝要である。
【００１９】
前記股当て布４の裏面（ここではショーツ部に用いられている素材が面した面）には、対となって前記雌雄関係を持つ定着手段７の一方が縫い付けられている。当該定着手段７の一方を縫い付けるにあたり、当該定着手段７を股当て布４の全体に亘って付設した場合、当該定着手段７による股部分の異物感によって通常下着に求められる柔らかな着用感を損なうこととなる。前記面ファスナーも例外では無いので、定着手段７の一方たる面部材７ｕの付設箇所を前記股当て布４における前縁部及び後縁部のみに限定し、当該面ファスナーの定着力に合わせて前記領域に日常生活において容易に剥がれない程度の適量を満遍なく縫い付けることとする。
【００２０】
一方、前記ズボン部１の表面へは、当該股当て布４の面部材７ｕに対して、当該面部材７ｕと雌雄関係にあり着脱可能な面部材７ｕが、当該下着のサイズに応じ着用者の臍と恥骨との中間部、及び尾骨と腰との中間部に設けられる。前記の如く、定着手段７の付設領域は狭いに越したことは無いが、少なくとも相方たる面部材７ｕと等量同形状は確保して縫い付けられる。
【００２１】
また、排便時において股当て布４の前縁部又は後縁部の少なくとも一方に設けられた定着手段７が雌雄の定着状態から解除され、前記ズボン部１及びショーツ部２の開口部３が開放される訳であるが、当該解除によってフリーとなった股当て布４の面部材７ｕが垂れ下がって排便の邪魔にならないように、着用感を大きく損なわない箇所、例えば、太股の周辺に股当て布４の面部材７ｕが定着できる面部材７ｕを図５の如く適宜縫い付けておけば、外した股当て布４を手で持つなど、排便の邪魔になる行為を強いられることもなく都合が良い。
【００２２】
更に、握力が減退した着用者への配慮として、前記股当て布４における表面（ここではズボン部１に用いられている素材が面した面）の前縁部及び後縁部の表面に指が掛かる持ち手８をそれぞれ縫い付ける措置も併せて施されている。
【００２３】
上記下着の構成によって、前記ズボン部１とショーツ部２とが一体となって同時に着脱出来ることとなるにもかかわらず、ショーツとズボンとの二着を着用した暖かさと着用感が得られることは元より、前記ズボン部１及びショーツ部２における開口部３の内縁に形成された連結部５の股間領域６、即ち、両足に挟まれた領域のみに伸縮手段たるゴム紐を縫い付けたり、筒部も設けてゴム紐を通したりすることによって、前記ズボン部１及びショーツ部２の股部に排便用の開口部３を設けたにも関わらず、股間部において着用者の身体と当該下着との密着性が高まり、ズボン部１の裾或いはショーツ部２の裾から脚の付け根に亘る領域に暖気層が極力確保され保温効果を維持することが出来る。
【００２４】
又、上記股間領域に対する伸縮手段の設け方によって、前記の如く開口部３が設けてありながらも通常のショーツとズボンを着用した場合の着用感が極力確保され、特別な衣服を着用していると意識することもなく日常を送ることができることとなる。
【００２５】
前記股当て布４の股間領域９にあっても、図６の如く両足に挟まれた領域のみに伸縮手段たるゴム紐を縫い付けたり、筒部を設けて通したりといった構造を採用すれば、股当て布４の中間部に、内股のカーブに倣った括れを形成しつつ、内股と当該股当て布４の中間部とを密着させることが可能となって着用感の向上が得られると共に、保温効果を維持することが出来る。
【００２６】
【発明の効果】
以上のごとく、本発明による下着によれば、機能のみを重視することなく、減退した機能を補助する為の構造を必要最小限に止めた構成によって、便意等を認識する感覚が備わって居ながらもその筋力の無さによって脱衣が遅れ失禁してしまうことが防止できるのみならず、通常の下着を着用している感覚を極力確保出来る構成によって、着用時に受ける劣等感等が極力軽減され、着用者の人格をも尊重出来る。而して、暖かい時期用の下着として設計した場合はもとより、たとえ厚着となり脱衣に手間のかかる寒冷期用の下着として設計した場合であっても、脱衣の便宜及び保温機能と共に、着用感をも満足し得る下着の提供が可能となる。
【図面の簡単な説明】
【図１】（イ）（ロ）
本発明による下着の構造の一例を示す表から見た説明図（イ）、及び裏から見た説明図（ロ）である。
【図２】（イ）（ロ）
本発明による下着の一例を示す股当て布を外した状態での表から見た外観図（イ）、及び裏から見た外観図（ロ）である。
【図３】（イ）（ロ）
本発明による下着の一例を示す股当て布を付けた状態での表から見た外観図（イ）、及び裏から見た外観図（ロ）である。
【図４】（イ）（ロ）
本発明による下着に用いる股当て布の一例を表から見た外観図（イ）、及び裏から見た外観図（ロ）である。
【図５】（イ）（ロ）
本発明による下着の一例を示す股当て布を付けた状態での表から見た外観図（イ）、及び裏から見た外観図（ロ）である。
【図６】（イ）（ロ）
本発明による下着に用いる股当て布の一例を表から見た外観図（イ）、及び裏から見た外観図（ロ）である。
【符号の説明】
１  ズボン部，２  ショーツ部，３  開口部，４  股当て布，
５  連結部，６  股間領域，７  定着手段，７ｕ  面部材，
８  持ち手，９  股間領域，
【図１】
2004225188.tif 000003
【図２】
2004225188.tif 000004
【図３】
2004225188.tif 000005
【図４】
2004225188.tif 000006
【図５】
2004225188.tif 000007
【図６】
2004225188.tif 000008